(57)【要約】      （修正有）【課題】多数の金型を必要とすることなく、折り畳む際に植木鉢から取り外す必要がなく、かつ植物の成長に合わせた高さを変更可能な植木鉢用支柱、及び該支柱を備えた植木鉢を提供する。【解決手段】植木鉢用支柱１０は、植木鉢２０に立設され、環状の棒材からなり上下に階層状に設けられる一又は複数の横部材１１と、上下の横部材、又は横部材と植木鉢とを連結する縦部材１２とを備え、縦部材は、上端が横部材に対し回動可能に構成されるとともに、下端が横部材、又は植木鉢に回動可能に連結されて、上端に連結された横部材を周方向に回動させることにより倒れて、上端に連結された横部材を、下端に連結された横部材、又は植木鉢に重ねるよう構成されている。【選択図】図４
2017077196.tif 000002
【特許請求の範囲】
【請求項１】
植木鉢に立設される植木鉢用支柱であって、
環状の棒材からなり上下に階層状に設けられる一又は複数の横部材と、
上下の横部材、又は横部材と植木鉢とを連結して横部材を支持する縦部材と
を備え、
前記縦部材は、上端が横部材に対し回動可能に構成されるとともに、下端が横部材、又は植木鉢に回動可能に連結されて、上端に連結された横部材を周方向に回動させることにより倒れて、当該上端に連結された横部材を、下端に連結された横部材、又は植木鉢に重ねるよう構成されていることを特徴とする植木鉢用支柱。
【請求項２】
前記縦部材の上端を、横部材に連結する継手部材を備え、
前記継手部材は、横部材により鉛直軸周りに回動可能に支持されるとともに、前記鉛直軸周りに旋回する旋回水平軸により前記縦部材に連結されており、
前記縦部材は、上端が前記旋回水平軸周りに回動可能に、かつ前記旋回水平軸を中心にして前記旋回水平軸に平行な方向に揺動可能に構成され、下端が横部材、又は植木鉢に固設された固定水平軸周りに回動可能に、かつ前記固定水平軸を中心として前記固定水平軸に平行な方向に揺動可能に支持されている請求項１に記載の植木鉢用支柱。
【請求項３】
前記縦部材の下端を、横部材、又は植木鉢に連結する継手部材を備え、
前記継手部材は、横部材、又は植木鉢により鉛直軸周りに回動可能に支持されるとともに、前記鉛直軸周りに旋回する旋回水平軸により前記縦部材に連結されており、
前記縦部材は、下端が前記旋回水平軸周りに回動可能に、かつ前記旋回水平軸を中心にして前記旋回水平軸に平行な方向に揺動可能に構成され、上端が横部材に固設された固定水平軸周りに回動可能に、かつ前記固定水平軸を中心として前記固定水平軸に平行な方向に揺動可能に支持されている請求項１に記載の植木鉢用支柱。
【請求項４】
前記横部材は、正多角形をなし、
前記縦部材は、上下の横部材の頂点を連結するよう設けられるとともに前記正多角形の１辺の長さに等しい請求項１から請求項３に記載の植木鉢用支柱。
【請求項５】
前記継手部材が前記鉛直軸周りの一方向にのみ回動するよう回動方向を規制する回動規制手段を備える請求項２又は請求項３に記載の植木鉢用支柱。
【請求項６】
請求項１から請求項５のいずれか１項に記載の植木鉢用支柱と、
植木鉢と、を備えた支柱付植木鉢。
【請求項７】
前記植木鉢の開口部周縁部が横部材と略同形状をなすとともに、開口部周縁部に対し段差を有する低い位置から外側方へ延出し、前記横部材を収容する支柱収容棚を備える請求項６に記載の支柱付植木鉢。
【請求項８】
ペットボトルの口に螺着して、ペットボトルから前記植木鉢に自動給水を行うための給水キャップを備え、
前記給水キャップは、前記植木鉢の開口周縁部にペットボトルを係着するためのフックを有し、
前記植木鉢は、開口周縁部に、前記給水キャップのフックを嵌合する嵌合孔を複数備える請求項６、又は請求項７に記載の支柱付植木鉢。
【請求項９】
受け皿を備え、
前記受け皿は、前記植木鉢に蓋をした際のずれを防止する嵌合用突起を有し、
前記植木鉢の嵌合孔が、前記受け皿の嵌合用突起にも嵌合するよう構成された請求項８に記載の支柱付植木鉢。
【発明の詳細な説明】
【技術分野】
【０００１】
この発明は、朝顔等の園芸用植物を植える植木鉢に立設して蔓を巻き付けるための植木鉢用支柱に関し、特に、折り畳み可能に構成された植木鉢用支柱、及び当該支柱を備えた植木鉢に関する。
【背景技術】
【０００２】
近年、小学校の生活科で使用される朝顔用の植木鉢は、蔓を巻き付けるための支柱がセットになって販売されている。かかる支柱は、小学１，２年生でも容易に取り付け取外しできるように、あるいは、輸送の際の減容を可能にして輸送コストを低減するために各種の工夫がなされている。
【０００３】
例えば、特許文献１では、蔓を巻き付ける支柱の縦部材をなす支持部が一段下がるごとに径の太くなる筒状部材により形成され、上側の支柱部を下側の支柱部に順次収容可能とすることで、伸縮式の望遠鏡や釣竿のように収縮するとともに、水平部材をなす角環状の補助部を下段に下るにつれ順次小さくすることで、全ての補助部を植木鉢の上縁に１つに束ねるよう構成した植木鉢が提案されている。
【０００４】
一方、特許文献２では、支柱構造体の縦部材をなす４本の外支柱に横部材をなす連結棒を回動自在に連結することで、４本の外支柱を１本に束ねるようにして全体を折り畳み可能に構成した植木鉢の支柱構造体が提案されている。
【先行技術文献】
【特許文献】
【０００５】
【特許文献１】特開２００３−１９９４３６号公報
【特許文献２】特開２０１０−２６３８３２号公報
【発明の概要】
【発明が解決しようとする課題】
【０００６】
しかし、特許文献１の支柱では、支持部、補助部ともに段ごとに大きさが異なるため、成形用の金型が多数必要になるという課題が有る。
また、特許文献２の支柱構造体では、折り畳む際に４本の外支柱を１本にまとめるため植木鉢から取り外す必要があり、多数の植木鉢を減容して保管・輸送するためには分離した植木鉢ごと、支柱構造体ごとにまとめる手間がかかるという課題や、全体を一体的に広げたり折り畳んだりするため植物の成長に合わせて、支柱の高さを変更することができないという課題が有る。
本発明は、上記課題に鑑みてなされたものであり、多数の金型を必要とすることなく、折り畳む際に植木鉢から取り外す必要がなく、かつ植物の成長に合わせた高さを変更可能な植木鉢用支柱、及び該支柱を備えた植木鉢の提供を目的とする。
【課題を解決するための手段】
【０００７】
上記課題を解決するためになされた発明は、植木鉢に立設される植木鉢用支柱であって、環状の棒材からなり上下に階層状に設けられる一又は複数の横部材と、上下の横部材、又は横部材と植木鉢とを連結して横部材を支持する縦部材とを備え、前記縦部材は、上端が横部材に対し回動可能に構成されるとともに、下端が横部材、又は植木鉢に回動可能に連結されて、上端に連結された横部材を周方向に回動させることにより倒れて、当該上端に連結された横部材を、下端に連結された横部材、又は植木鉢に重ねるよう構成されていることを特徴とする。
【０００８】
このように、本発明の植木鉢用支柱では、縦部材の上下端で横部材、又は植木鉢に回動可能に連結し、縦部材の上端に連結された環状の横部材を周方向に回動させることにより縦部材を水平に倒して、縦部材の上端に連結された横部材を、縦部材の下端に連結された横部材や植木鉢に重ねるようにしたので、隣り合う縦部材の下端同士、あるいは上端同士の距離を変化させることなく折畳むことができるため、支柱を植木鉢から外す必要がない。また、上の横部材を下の横部材の内側へ収容したり、上の縦部材を下の縦部材内に収容したりする必要が無いため、上下の横部材、縦部材共に同一の形状大きさに形成できることから、成形金型の数を抑制できる。
【０００９】
本発明の植木鉢用支柱では、前記縦部材の上端を、横部材に連結する継手部材を備え、
前記継手部材は、横部材により鉛直軸周りに回動可能に支持されるとともに、前記鉛直軸周りに旋回する旋回水平軸により前記縦部材に連結されており、前記縦部材は、上端が前記旋回水平軸周りに回動可能に、かつ前記旋回水平軸を中心にして前記旋回水平軸に平行な方向に揺動可能に構成され、下端が横部材、又は植木鉢に固設された固定水平軸周りに回動可能に、かつ前記固定水平軸を中心として前記固定水平軸に平行な方向に揺動可能に支持されていることが好ましい。
こうすることで、簡単な構造で、上下の横部材を周方向に相対的に回転させながら縦部材を倒して上下の横部材を重ねるよう支柱を折り畳むことができる。
尚、ここで「鉛直」とは、植木鉢、及び横部材が階層状に重ねられる方向をいい、「水平」とは、「鉛直」方向に垂直な方向を言うものとする。
【００１０】
また、本発明は、上記の縦部材の上端に継手部材を設ける支柱とは逆に、前記縦部材の下端を、横部材、又は植木鉢に連結する継手部材を備え、前記継手部材は、横部材、又は植木鉢により鉛直軸周りに回動可能に支持されるとともに、前記鉛直軸周りに旋回する旋回水平軸により前記縦部材に連結されており、前記縦部材は、下端が前記旋回水平軸周りに回動可能に、かつ前記旋回水平軸を中心にして前記旋回水平軸に平行な方向に揺動可能に構成され、上端が横部材に固設された固定水平軸周りに回動可能に、かつ前記固定水平軸を中心として前記固定水平軸に平行な方向に揺動可能に支持されている植木鉢用支柱を含む。
【００１１】
前記横部材は、正多角形をなし、前記縦部材は、上下の横部材の頂点を連結するよう設けられるとともに前記正多角形の１辺の長さに等しいことが好ましい。こうすることで、上下の横部材の頂点が一致するよう重ねることができるとともに、縦部材を横部材の辺に重ねることができる。
【００１２】
本発明の植木用支柱は、前記継手部材が前記鉛直軸周りの一方向にのみ回動するよう回動方向を規制する回動規制手段を備えることが好ましい。こうすることで、各部材の破損を抑制できる。
【００１３】
本発明は、上記の植木鉢用支柱と、植木鉢と、を備える支柱付植木鉢を含む。
【００１４】
前記植木鉢の開口周縁が横部材と略同形状をなすとともに、前記横部材を収容する段差部を備えることが好ましい。こうすることで、よりコンパクトに支柱を収容することができる。
【００１５】
本発明の支柱付植木鉢は、ペットボトルの口に螺着して、ペットボトルから前記植木鉢に自動給水を行うための給水キャップを備え、前記給水キャップは、前記植木鉢の開口周縁部にペットボトルを係着するためのフックを有し、前記植木鉢は、開口周縁部に、前記給水キャップのフックを嵌合する嵌合孔を複数備えることが好ましい。こうすることで、植木鉢の開口周縁部の複数位置から自動給水用のペットボトルをセットする位置を選択でき、また、複数のペットボトルをセットすることが可能となる。
【００１６】
本発明の支柱付植木鉢は、受け皿を備え、前記受け皿は、前記植木鉢に蓋をした際のずれを防止する嵌合用突起を有し、前記植木鉢の嵌合孔が、前記受け皿の嵌合用突起にも嵌合するよう構成されていることが好ましい。こうすることで、植木鉢に、新たに受け皿の嵌合用突起を設ける必要がなくなる。
【発明の効果】
【００１７】
以上説明したように、本発明の植木鉢用支柱、及び支柱付植木鉢によれば、多数の成型用金型を必要とせず、また、植木鉢から外すことなく支柱を折り畳むことができ、さらに、植物の成長に合わせて高さを変更することができる。
【図面の簡単な説明】
【００１８】
【図１】本発明の一の実施形態に係る支柱付植木鉢の支柱を完全に折り畳んだ様子を示す斜視図である。
【図２】図１の植木鉢用支柱の最下段のみを展開した様子を示した斜視図である。
【図３】図１に示した支柱を下から２段まで展開した様子を示した斜視図である。
【図４】図１に示した支柱を全段にわたり展開した様子を示す斜視図である。
【図５】図１に示した支柱付植木鉢の最下段の分解斜視図である。
【図６】図１の植木鉢の横部材を示す（ａ）斜視図、（ｂ）正面図である。
【図７】図１の縦部材を示す斜視図である。
【図８】図１の継手部材を示す（ａ）斜視図、（ｂ）側面図、（ｃ）背面図である。
【図９】図１の支柱を折り畳む様子を模式的に示す斜視図である。
【図１０】図１の支柱を折り畳む途中における縦部材と横部材の連結部の様子を示す拡大斜視図である。
【図１１】図１の縦部材が、旋回水平軸、又は固定水平軸周りに揺動する方向を示した説明図である。
【図１２】図１に示した植木鉢の斜視図である。
【図１３】図１の植木鉢の開口部周縁の嵌合孔に（ａ）吸水キャップをセットする前の様子を示す斜視図、（ｂ）吸水キャップをセットした状態を示す斜視図である。
【図１４】図１の受け皿の斜視図である。
【図１５】図１４の受け皿で植木鉢に（ａ）蓋をする前の様子を示す斜視図、（ｂ）蓋をした状態を示す斜視図である。
【図１６】図１の吸水キャップの（ａ）斜め上方から見た斜視図、（ｂ）斜め下方から見た斜視図である。
【発明を実施するための形態】
【００１９】
以下、適宜図面を用いながら本発明の実施形態について詳述する。ただし、本発明は、以下の実施形態に限定されるものではない。
図４は、本発明の第１実施形態に係る支柱付植木鉢１００を示している。支柱付植木鉢１００は、植木鉢用支柱１０と、植木鉢２０と、受け皿３０と、ペットボトル用給水キャップ４０と、を備えている。
【００２０】
植木鉢用支柱１０は、図４に示すように、正方形の環状棒材からなる上下３段の横部材１１，１１，１１と、上下の横部材１１，１１同士、又は最下段の横部材１１と植木鉢２０を連結する縦部材１２と、図５に示すように、横部材１１の角部と縦部材１２の上端に介在して、横部材１１と縦部材１２を連結する継手部材１３とを備えている。
【００２１】
横部材１１は、図６に示すように、同形状をなす４本の棒状部材１１ａが連結されて正方形の環状に形成され、横部材１１の角部には、直交する２辺１１ａ，１１ａの一方に垂直で他方に平行に立ち上がる板状片１１ｂが設けられ、板状片１１ｂから当該一方の辺１１ａに垂直に、かつ当該他方の辺１１ａに平行に突出する固定水平軸１１ｃが設けられている。
【００２２】
固定水平軸１１ｃは、軸方向のスリットにより２つの半割円柱に分割され、基端部に縦部材１２の旋回孔１２ｂを収容する先端部より細径の旋回孔収容部１１ｆが設けられ、先端部に旋回孔収容部１１ｆより大径の抜け止め部１１ｇが設けられている。
【００２３】
また、横部材１１の角部には、上下方向の円形貫通孔からなる鉛直軸受１１ｄが設けられている。さらに、各辺１１ａの下面には、鉛直軸受１１ｄに臨んで板状辺からなる回動規制手段１１ｅが立設されている。
【００２４】
縦部材１２は、図７に示すように、直棒状部材からなり、両端から半割トラック形の舌片１２ａが長手方向に突設され、舌片１２ａには、厚み方向の円形貫通孔からなる旋回孔１２ｂが設けられている。縦部材１２は、長手方向に延びる４本のリブ１２ｃが周方向に等角度間隔で放射状に設けられ、植物の蔓を掛止するための環状リブ１２ｄが長手方向について等間隔に設けられている。
【００２５】
継手部材１３は、図８に示すように、互いに垂直な水平片１３ａと鉛直片１３ｂからなる２枚の板状辺を三角リブ１３ｃで連結したＬ字形状をなし、水平片１３ａに垂設される鉛直軸１３ｄと、鉛直片１３ｂに垂設される旋回水平軸１３ｅとを備えている。鉛直軸１３ｄ、及び旋回水平軸１３ｅは、固定水平軸１１ｂ同様、半割円柱状をなし、基端部に縦部材１２の旋回孔１２ｂを収容する細径の旋回孔収容部１３ｆが設けられ、突出端部に旋回孔収容部より大径の抜け止め部１３ｇが設けられている。継手部材１３は、水平片１３ａの先端縁１３ｈを横部材１１の回動規制手段１１ｅに当接させることで、９０度以上の回動が規制される。
【００２６】
植木鉢２０は、図１２に示すように、上方に開口する略正方形の開口部２１と、開口部２１周縁に沿った土手状の開口周縁部２２と、開口周縁部２２に対し段差を設けて低い位置から水平棚状に外側方へ延出する支柱収容棚２３を備えている。
【００２７】
植木鉢２０の開口周縁部２２には、４隅の外縁側に、横部材１１の板状片１１ｂ、及び固定水平軸１１ｃと同様の板状片２３ｂ、及び固定水平軸２３ｃが設けられ、４隅の内縁側と手前の辺の中央の合わせて５箇所に、給水キャップ４０のフック４３を差し込むための嵌合孔２２ａ、及び２２ｂが設けられている。嵌合孔２２ａ，２３ｂは、図１３に示すように植木鉢２０の開口部２１から直接、植木鉢内の土へ給水へ行う際に使用される。
開口部２１の一辺の中央には、受け皿３０に自動給水を行うためのペットボトルＡを収容するペットボトル収容孔２４が設けられている。尚、図１２中符号２７は把手である。
【００２８】
受け皿３０は、図１に示すように、周縁を立ち上げて植木鉢２０の４本の脚部２５，…とペットボトルＡを収容するとともに、内部に水を張って植木鉢２０の底部２６のスリット２６ａから植木鉢２０の内部へ給水を行うよう構成されている。図１４に示すように、受け皿３０は、外側方へ張り出す半円形のペットボトル収容部３１の内部に、ペットボトルＡの給水キャップ４０を支持するとともに給水キャップ４０と協働して受け皿３０へ自動給水を行う給水キャップ係合部３１ａを備えている。また、受け皿３０は、周縁の４隅に嵌合用突起３０ａが垂設され、図１５に示すように、嵌合用突起３０ａを植木鉢２０の嵌合孔２２ａに嵌合させて、植木鉢２０の開口部２１に蓋をした際のずれを防止するよう構成されている。
【００２９】
吸水キャップ４０は、図１６（ｂ）に示すように、内側面にペットボトルＡの口に螺合するための雌ねじを備えた有蓋円筒状をなすキャップ本体４１と、キャップ本体４１の蓋部４１ａ（図１６（ａ）参照）の中心からキャップ本体４１の軸心に沿って延びペットボトルＡ内に水を補給する補水孔４２ａを備えた補水管４２と、植木鉢２０にペットボトルＡをセットするためのフック４３とを備え、蓋部４１ａ周縁には、ペットボトルＡの内部から受け皿３０へ自動給水を行うための８つの給水孔４１ｂが等角度間隔で設けられている。
【００３０】
支柱付植木鉢１００を組み立てる際には、図５に示すように、植木鉢２０の４隅の固定水平軸２３ｃを縦部材１２の下端側の旋回孔１２ｂに挿通して、植木鉢２０に４本の縦部材１２，…を取着する。次に、この４本の縦部材１２，…の上端の旋回孔１２ｂに継手部材１３の旋回水平軸１３ｅを挿入するようにして、４つの縦部材に１つずつ継手部材１３を取着する。続けて、４本の継手部材１３，…の鉛直軸１３ｄを横部材１１の鉛直軸受１１ｄに嵌入して、４本の縦部材１３，…を横部材１１に連結する。下から２段目と３段目の縦部材１３と横部材１１も、同様に組み立てる。
【００３１】
しかる後、図２乃至図３に示すように、植木鉢２０を受け皿３０に載置して、給水キャップ４０で蓋をしたペットボトルＡを倒立させてペットボトル収容孔２４に収容する。
【００３２】
次に、植木鉢用支柱１０の使用方法と、各部の作用及び効果について説明する。
支柱１０の各段を展開状態から折畳み状態にするためには、図９に示すように、折畳む段の上側の横部材１１を、下側の横部材１１、又は植木鉢２０に対し相対的に上方から見た右周り（図９（ｂ）の矢印Ｃ１の向き）に回転させる。すると、縦部材１２は、図９（ｂ）の矢印Ｃ２の向きに倒れようとする。
詳細には、図１０（ａ）に示すように、横部材１１を矢印Ｃ１の向きに回動させると、縦部材１２の上端側は、継手部材１３を介して矢印Ｃ１の向きに回動しようとするのに対し、下端側は、下側の横部材１１、又は植木鉢２０に固定されて動きを拘束されるため、縦部材１２の上端部は、継手部材１３の旋回水平軸１３ｅを軸として矢印Ｃ４の向きに回動し、縦部材１２の下端部は、下側の横部材１１の固定水平軸１１ｃ、又は植木鉢２０の固定水平軸２３ｃを軸として矢印Ｃ２（図９、図１０（ｂ）参照）の向きに回動する。
この際、継手部材１３は、図１０（ａ）に示すように、縦部材１２の上端部と共に鉛直軸１３ｄを軸として、上方から見た反時計回り（矢印Ｃ３の向きに）回動する。
こうして、横部材１１を９０度回動させると、継手部材１３は、上側の横部材１１に対し相対的に９０度回動し、縦部材１２の上端部は旋回水平軸周りに９０度回転し、縦部材１２の下端部は固定水平軸１１ｃ、又は２１ｃ周りに９０度回転し、縦部材１２は水平に倒れる。
この際、横部材１１の対角の長さが１辺の長さより長いことから、倒れる途中の横部材１１の上端は、支柱１０の外側方へ傾動するため、縦部材１２が旋回固定軸１３ｅを軸として、旋回固定軸に平行な向き（図１０（ａ）、図１１の矢印Ｃ５の向き）に揺動するよう、旋回固定軸１３ｅの旋回孔収容部１３ｆには旋回孔１２ｂに対する遊びが設けられている。また、同じ理由により、縦部材１２の下端側は、固定水平軸１１ｃ又は２１ｃを軸として当該固定水平軸に平行な向き（図１０（ｂ）、図１１の矢印Ｃ６の向き）に揺動すするよう、固定水平軸１１ｃ、２１ｃの旋回孔収容部、１１ｆ、２１ｆには旋回孔１２ｂに対する遊びが設けられている。
以下、同様にして、下から２段目、３段目の横部材も周方向に回転させることにより、図２、図３に示したように立ち上げることができる。
【００３３】
逆に、横部材１１を上の段から順に上から見て左回りに回動させることで、支柱１０を折り畳んで、植木鉢２０の上に収容することができる。
【００３４】
このように、植木用支柱１０では、縦部材１２の上端に連結された横部材１１を周方向に回動させることにより、縦部材１２が水平に倒れて、縦部材１２の上端に連結された横部材１１を縦部材１２の下端に連結された横部材１１、又は植木鉢２０に重ねるよう構成したので、植木鉢２０から支柱１０を取り外すことなく、支柱１０を折り畳むことができる。また、これにより、支柱を１段ずつ開閉できるので、植物の蔓の成長に合わせて支柱の高さを調節することができる。
【００３５】
また、支柱１０の横部材１１、縦部材１２、継手部材１３、及び植木鉢２０は、軸受や旋回孔に棒状の軸を差し込むようにして連結するようにしたので、容易に分解でき、蔓の取外しが容易である。
【００３６】
また、横部材１１の１辺の長さと、縦部材１２の長さが等しく、詳細には、横部材に連結された隣接する継手部材の鉛直軸間の距離と、縦部材の上下に連結された旋回水平軸１３ｅと固定水平軸１１ｂ，２１ｂの軸間距離が等しいので、縦部材１２を横部材１１の辺に重ねることができる。
【００３７】
また、植木鉢２０は、支柱収容棚２３を備えるので、支柱を収容した際の減容効果をより一層高めることができる。
【００３８】
また、図１３（ａ）に示すように、植木鉢２０は、給水キャップ４０をセットする位置を、５つの嵌合孔２２ａ，２２ｂから任意に選択することができるため、植物の位置に合わせてペットボトルＡによる給水位置を適宜に変更することができる。吸水キャップ４０のフック４３は、円筒形に形成されており、図１３（ｂ）の矢印Ｃ７に示すように、給水キャップ４０ごとペットボトルＡを回動させることができる。
【００３９】
さらに、図受け皿３０は、植木鉢２０の開口部２１に蓋をすることができるので、新芽を霜から守ることができる。
【００４０】
本発明に係る植木鉢用支柱、及び支柱付植木鉢は、上述の実施形態に限られるものではなく、横部材、又は植木鉢と縦部材の連結部は、紐やゴムにより連結してもよいし、また、球状継手やユニバーサルジョイント等、縦部材を、横部材、又は植木鉢に対し３方向に回動可能に連結できれば、公知の継手を適宜に用いることができる。継手部材は、縦部材の上端ではなく、下端に設けてもよいし、上下の両端に設けてもよい。横部材、縦部材は、格段ごとに形状大きさを変更してよい。鉛直軸を横部材に設け鉛直軸受けを継手部材に設けるようにしてもよいし、旋回水平軸を縦部材に設け継手部材に旋回孔を設けてもよく、固定水平軸も縦継手に設けることができる。縦部材は、直棒状に限らず、曲棒状でもよい。植木鉢用支柱は、３段に限らず、２段以下でもよいし４段以上でもよい。横部材は、正方形に限らず、三角形、五角形等の多角形の他、円形、トランク型等、公知の形状を適宜に用いることができる。
【符号の説明】
【００４１】
１００  支柱付植木鉢
１０  植木鉢用支柱
１１  横部材
１１ｂ，２３ｂ  固定水平軸
１１ｅ  回動規制手段
１２  縦部材
１３  継手部材
１３ｄ  鉛直軸
１３ｅ  旋回水平軸
２０  植木鉢
２２ａ，２２ｂ  嵌合孔
３０  受け皿
３０ａ  嵌合用突起
４０  給水キャップ
４３  フック
Ａ  ペットボトル
【図１】
2017077196.tif 000003
【図２】
2017077196.tif 000004
【図３】
2017077196.tif 000005
【図４】
2017077196.tif 000006
【図５】
2017077196.tif 000007
【図６】
2017077196.tif 000008
【図７】
2017077196.tif 000009
【図８】
2017077196.tif 000010
【図９】
2017077196.tif 000011
【図１０】
2017077196.tif 000012
【図１１】
2017077196.tif 000013
【図１２】
2017077196.tif 000014
【図１３】
2017077196.tif 000015
【図１４】
2017077196.tif 000016
【図１５】
2017077196.tif 000017
【図１６】
2017077196.tif 000018